(57)【特許請求の範囲】
【請求項１】
第1出口ガイド(17)と、
前記第1出口ガイド(17)に対して紙葉類1枚以上かつ２枚以下の第1間隔(d1)で配置した第2出口ガイド(23)と、
前記第2出口ガイド(23)の紙葉類収納部(11)側に隣接配置され、かつ、前記第1間隔(d1)よりも大きな第２間隔(d2)の正常位置と、それよりも大きな間隔の異常位置とに移動可能なプレ出口ガイド(30)と、
プレ出口ガイド(30)の移動時に紙葉類(b)を停止する停止体(40)と、
を備える紙葉類の重ね出し防止装置。
【請求項２】
平板状の第1出口ガイド(17)と、
前記第1出口ガイド(17)に対して紙葉類1枚以上かつ２枚以下の第1間隔(d1)で配置したアーチ形の第2出口ガイド(23)と、
前記第2出口ガイド(23)の紙葉類収納部(11)側に隣接配置され、かつ、前記第1間隔(d1)よりも大きな第２間隔(d2)の正常位置とそれよりも大きな間隔の異常位置とに移動可能なアーチ形のプレ出口ガイド(30)と、
プレ出口ガイド(30)の移動時に紙葉類(b)を停止する停止体(40)と、
を備える紙葉類の重ね出し防止装置。
【請求項３】
第2出口ガイド(23)は、シリンダ形であり第1出口ガイド(17)と相対する面が他の部位よりも大きな弧状である請求項２の紙葉類の重ね出し防止装置。
【発明の詳細な説明】
【０００１】
【発明が属する技術分野】
本発明は、紙葉類を一枚ずつ確実に分離して通過させる紙葉類の重ね出し防止装置に関する。
特に、紙葉類を一枚ずつ分離する際に詰まりを生じることがない、重ね出し防止装置に関する。
なお、本明細書で使用する「紙葉類」は、紙の他、紙幣、小切手、証券、クーポン券、商品券、等、シート状のもの全てを含んでいる。
【０００２】
【従来の技術】
小型の紙幣払出装置として、例えば特開2001−67527号に開示のものが知られている。
このものは図5に示すように、ガイド101のフィードローラ102とゲートローラ103との圧接部近傍の形状を、搬送路104から媒体複数枚分の高さを有し媒体搬送方向に対して傾斜した傾斜面105とからなる段差構造とすることにより、複数枚の紙幣がかみこまないようにしたものである。
【０００３】
&nbsp;紙幣がキックローラ106によってフィードローラ102とゲートローラ103の方向へ送られると、キックローラ106に接する紙幣108の上に乗っている紙幣109も一緒に送られる。
送られた紙幣の大部分は、壁面107によって進行を阻止され、さらに傾斜面105によって阻止され、キックローラ106と接する紙幣のみが通過してフィードローラ102とゲートローラ103に挟まれ、送り出される。
【０００４】
このものは、ガイドが傾斜面を有するので、少なくとも二つの平行部と一つの傾斜面が必要である。
また、紙幣を確実に送るには、平行部ごとにフィードローラとゲートローラが必要である。
【０００５】
もし、紙幣の出口部にフィードローラとゲートローラを備えた平行部を二つ設けた場合、出口部が長くなり、小型化できない。
また、フィードローラとゲートローラは平行部ごとに配置するので、コストアップになる。
【０００６】
【発明が解決しようとする課題】
本発明の第１の目的は、小型の紙葉類の重ね出し防止装置を得ることである。
本発明の第２の目的は、安価な紙葉類の重ね出し防止装置を得ることである。
【０００７】
【課題を解決するための手段】
この目的を達成するため本発明は、第1出口ガイドと、前記第1出口ガイドに対して紙葉類1枚以上かつ２枚以下の第1間隔で配置した第2出口ガイドと、前記第2出口ガイドの紙葉類収納部側に隣接配置され、かつ、前記第1間隔よりも大きな第２間隔の正常位置と、それよりも大きな間隔の異常位置とに移動可能なプレ出口ガイドと、プレ出口ガイドの移動時に紙葉類を停止する停止体と、で紙葉類の重ね出し防止装置を構成したものである。
【０００８】
この構成において、送出装置により収納部から送り出された紙葉類は、最初に第１出口ガイドとプレ出口ガイドとの間に進入する。
すなわち、送出装置に接触する紙葉類が強制的に出口側へ送られ、この紙葉類に接触する紙葉類もまた、摩擦力により同方向へ送られる。
この現象が連続し複数の紙葉類が第１出口ガイドと正常位置にあるプレ出口ガイドとの間に達する。
【０００９】
前記複数の紙葉類は、プレ出口ガイド、及び第2出口ガイドで移動を阻止される。
その結果、送出装置に接触する紙葉類のみが紙葉類１枚以上２枚以内の間隔の第１出口ガイドと第２出口ガイドの間を通って紙葉類収納部外へ送り出される。
【００１０】
もし、紙葉類が第１出口ガイドとプレ出口ガイドとの間に詰まりそうになった場合、詳細には、送出装置と接触する紙葉類の進行がストップしそうになった場合、プレ出口ガイドは紙葉類の押し力によって異常位置へ移動される。
プレ出口ガイドの移動により、一部の紙葉類は停止体により進行をストップされる。
送出装置に近い紙葉類は第1出口ガイドとプレ出口ガイドとの間に進入する。
したがって、これらの間の紙葉類間の接触圧は減少し、送出装置に接触する紙葉類は第１出口ガイドと第２出口ガイド側へ移動し、それらの間を通って紙葉類収納部外へ送り出される。
【００１１】
結果として、本発明は、紙葉類の出口部にフィードローラとガイドローラを備えた平行部を二カ所配置しないので、出口部を小型することができる。
また、本発明は、フィードローラとガイドローラを使用しないので、安価に製造できる。
【００１２】
本発明は、平板状の第1出口ガイドと、前記第1出口ガイドに対して紙葉類1枚以上かつ２枚以下の第1間隔で配置したアーチ形の第2出口ガイドと、前記第2出口ガイドよりも収納部側に隣接配置され、かつ、前記第1間隔よりも大きな第２間隔の通常位置とそれよりも大きな間隔の異常位置とに移動可能なアーチ形のプレ出口ガイドと、プレ出口ガイドの移動時に紙葉類を停止する停止体と、を備えることが好ましい。
【００１３】
この構成において、アーチ形のプレ出口ガイドと第２出口ガイドが平板状の第１出口ガイドと対面している。
プレ出口ガイドと第１出口ガイドとの間に楔形の紙葉類進入空間が形成される。同様に、第２出口ガイドと第１出口ガイドとの間に楔形の紙葉類進入空間が形成される。
【００１４】
楔形の紙葉類進入空間において、紙葉類はプレ出口ガイド或いは第２出口ガイドによって第１出口ガイド側から離れている紙葉類から順にストップされる。
結果として、一団の紙葉類が第１出口ガイドとプレ出口ガイド及び第２出口ガイドとの間に進入しないので、それらの間に紙葉類が詰まることがない。
【００１５】
もし、紙葉類が第1出口ガイドとプレ出口ガイドとの間に詰まりそうになった場合、プレ出口ガイドが異常位置へ移動され、一部の紙葉類は停止体により進行を停止される。
プレ出口ガイドの移動により、第1出口ガイドとプレ出口ガイドとの間の紙葉類の接触圧は減少し、詰まることがない。
結果として、送出装置に接触する紙葉類1枚のみが送り出される。
【００１６】
本発明は、第2出口ガイドがシリンダ形であり、かつ、第1出口ガイドと相対する面が他の部位よりも大きな弧状であることが好ましい。
この構成において、第２出口ガイドはシリンダ形を加工して製作することができる。
結果として、安価な材料で形成できるので、安価に製造することができる。
【００１７】
【発明の実施の形態】
図１は、実施例の重ね出し防止装置の概要斜視図である。
図２は、実施例の重ね出し防止装置の側面図である。
図３は、実施例の重ね出し防止装置の断面図である。
図４は、実施例の重ね出し防止装置の作用説明図である。
【００１８】
本実施例の重ね出し防止装置10は、例えば、自動販売機の紙幣払出装置の金庫1の出口に装着する。
図において、金庫1の矩形の紙幣収納室11を画定する底板12と前壁13が開示してある。
【００１９】
最初に第1出口ガイド17を説明する。
底板12の開口14に送出装置15のローラ16が配置してある。
ローラ16の上側周面は、紙幣収納室11内に位置し、最下位の紙幣bと接している。
図において、底板12の左端部は平板状の第１出口ガイド17を構成する。
【００２０】
次に第2出口ガイド23を説明する。
第１出口ガイド17の上方にシリンダ形のゴムローラ20が配置されている。
ゴムローラ20は、前壁13から延びるステー21、22に固定される。
ゴムローラ20の下面は、他の周面よりも大径の弧状に形成した第２出口ガイド23である。
【００２１】
すなわち、第2出口ガイド23はアーチ形をしている。
この第２出口ガイド23を第１出口ガイド17に対して第1間隔d1を空けて配置し、第1出口24を構成する。
この第1間隔d1は、紙幣1枚の厚みよりも大きく、紙幣2枚の厚みよりも小さい。換言すると、第1出口24は、一枚の紙幣bのみが通過可能である。
【００２２】
第１出口ガイド17と第２出口ガイド23間の紙幣収納部11側に楔形の進入空間が形成される。
ゴムローラ20の材質は、耐摩耗性に優れ、かつ摩擦係数が大きい硬質ウレタンゴムである。
第2出口ガイド23は、市販されているゴムローラを加工して構成した場合、安価に製作することができる。
【００２３】
次にプレ出口ガイド30を説明する。
前壁13の両側端から突出するブラケット31（図面において左側のみ図示）に、傾斜長孔32が形成されている。
傾斜長孔32は、紙幣収納室11から離れるほど、第1出口ガイド17から離れるよう傾斜している。
換言すると、傾斜長孔32は、図において約４５度の角度で右下がりに傾斜している。
【００２４】
左右の傾斜長孔32に、シャフト33がスライド可能に貫通している。
シャフト33の中間に、シリンダ形のプレ出口ガイド30が固定されている。
プレ出口ガイド30の下周面は、第1出口ガイド17と第2間隔d2を空けて配置し、プレ出口34を構成している。
【００２５】
したがって、プレ出口ガイド30は、第2出口ガイド23よりも紙幣収納室11側に位置し、紙幣bと接する部位はアーチ形をしている。
第１出口ガイド17とプレ出口ガイド30の間の紙幣収納部11側に楔形の進入空間35が形成される。
第2間隔d2は、第1間隔d1よりも紙幣数枚の厚さ分大きい。
プレ出口ガイド30は、シャフト33の軸線方向において複数個に分割されている。
【００２６】
シャフト33の中間部は、面取りされ、平面部36が形成されている。(図3参照)
この平面部36にクランク形板バネ37の下端部が押し付けてある。
板バネ37の上端部は、前壁13に固定されたL形のガイド38に固定してある。
シャフト33は板バネ37によって図において右方へ押されている。
結果として、シャフト33の端部は傾斜長孔32の下端部に停止され、その位置を保持される。
このときのプレ出口ガイド30の位置が、正常位置である。
【００２７】
板バネ37に代えて錘によりシャフト33に対し保持力を与えることができる。
シャフト33が傾斜長孔32の下端部で停止されている場合、プレ出口ガイド30と第1出口ガイド17とは第2間隔d2に保持される。
また、平面部36が板バネ37によって押されているため、シャフト33は回転しない。
【００２８】
プレ出口ガイド30は、耐磨耗性に優れているエチレン・プロピレンゴム(ＥＰＤＭ)で形成されている。
プレ出口ガイド30は、耐磨耗性に優れているナイロン系の樹脂や金属板を弧状に成形して構成できる。
ガイド38の下端部は、第1出口ガイド17と平行に形成され、第1間隔d1よりも大きい間隔で配置されている。
【００２９】
ブラケット31の下端部の紙幣収納室11側の端面が停止体40であり、紙幣bの進行方向に対し、約15度傾斜している。
この角度は、紙幣bが第１出口ガイド17と規制面41との間に食い込まない。
ブラケット31の規制面41は、第1出口ガイド17と平行であり、第1出口ガイド17に対し、第2間隔d2よりも僅かに大きい間隔で配置されている。
【００３０】
もしプレ出口ガイド30が紙幣bにより押されて傾斜長孔32に沿って移動すると、停止体40は一部の紙幣bの進行を阻止する機能を有する。
停止体40は、紙幣bの進行方向に対し75度から90度の範囲がよい。
【００３１】
次に図4も参照して実施例の作用を説明する。
まず、正常時の作用を説明する。
紙幣bを送り出すとき、ローラ16は反時計方向へ回転される。
ローラ16と接する最も下の紙幣bは、図において左方へ移動される。
この最も下の紙幣bの移動とともに、上側の紙幣bも摩擦力によって左方へ移動される。
【００３２】
上に乗っている紙幣bは、プレ出口ガイド30のアーチ形周面に移動を阻止される。
すなわち、紙幣bはプレ出口ガイド30のアーチ形周面と第1出口ガイド17との間の楔形進入空間35に進入し、アーチ形周面に沿って順じ階段状にストップされる。(図3参照)
【００３３】
次に、一部の紙幣bは、第2出口ガイド23によって進行を阻止される。
第２出口ガイド23は曲率が大きいので、紙幣bの食い込みを生じることなく、進行を阻止できる。
結果として、最も下の紙幣bが第１出口24を通過して送り出される。
【００３４】
次に異常時の作用を説明する。
プレ出口ガイド30のアーチ形周面の半径が大きいほど、楔効果による紙幣bの食込み力が小さい。
しかし、プレ出口ガイド30のアーチ形周面の半径を大きくすると、金庫の大型化になるため、半径の大きさは制約を受ける。
【００３５】
プレ出口ガイド30のアーチ形周面の半径を小さくした場合、楔効果が大きくなり、プレ出口ガイド30と第1出口ガイド17との間の紙幣bは食込み力が大になり、稀に食込んで紙幣bがロック状態になることがある。
換言すると、紙幣bが送り出されなくなる。
【００３６】
実施例において、プレ出口34で複数の紙幣bがロック状態になりそうになった場合、挟まれている紙幣bの押圧力でプレ出口ガイド30が傾斜長孔32に沿って左斜め上方へ移動される。
この移動によって、紙幣bの一部は停止体40に当接し、進行を阻止される。
停止体40の下方の複数枚の紙幣bは、規制面41と第1出口ガイド17との間に進入する。(図4参照)
【００３７】
規制面41は、第1出口ガイド17と平行であるため、これらの間に位置する紙幣bには、楔作用が働かないので、紙幣bの摩擦力は減少する。したがって、紙幣bは詰まることなく第１出口24へ進行する。
これらの紙幣bの内一部が第2出口ガイド23によって進行を阻止される。
そして最も下の紙幣bのみが第１出口24から送り出される。
【００３８】
【図面の簡単な説明】
【図１】図１は、実施例の重ね出し防止装置の概要斜視図である。
【図２】図２は、実施例の重ね出し防止装置の側面図である。
【図３】図３は、実施例の重ね出し防止装置の断面図である。
【図４】図４は、実施例の重ね出し防止装置の作用説明図である。
【図５】図５は、従来装置の説明図である。
【符号の説明】
b              紙幣
d1            第1間隔
d2            第２間隔
11            紙幣収納部
15            紙幣送出装置
17            第1出口ガイド
23            第2出口ガイド
30            プレ出口ガイド
40            停止体
【図１】
0003760437.tif 000002
【図２】
0003760437.tif 000003
【図３】
0003760437.tif 000004
【図４】
0003760437.tif 000005
【図５】
0003760437.tif 000006